(57)【要約】【課題】安全性と利便性を兼ね備えつつも意匠性を向上させることができる記載ボード付きの収納什器を提供すること。【解決手段】本発明は、床面に設置される収納什器と、前記収納什器の上方に設けられ、複数の縦杆及び前記縦杆の上端で前記縦杆同士を連結する横杆とで構成される枠状の支持体と、前記支持体の前側に設けられ、記載面と前記収納什器の前面とが同一平面上に配置される記載ボードと、を備える、記載ボード付き収納什器である。【選択図】図１
2020068996.tif 000002
【特許請求の範囲】
【請求項１】
床面に設置される収納什器と、
前記収納什器の上方に設けられ、複数の縦杆及び前記縦杆の上端で前記縦杆同士を連結する横杆とで構成される枠状の支持体と、
前記支持体の前側に設けられ、記載面と前記収納什器の前面とが同一平面上に配置される記載ボードと、を備えることを特徴とする、
記載ボード付き収納什器。
【請求項２】
前記記載ボードは、上部が前記横杆に固定され、下面が固定部材を介して前記収納什器の上面に固定されていることを特徴とする、
請求項１に記載の記載ボード付き収納什器。
【請求項３】
前記記載ボードの頂部より上方に突出するように前記横杆に固定され、重量物を固定するための接続部材を更に備えることを特徴とする、
請求項１または２に記載の記載ボード付き収納什器。
【請求項４】
前記複数の縦杆のうち少なくとも一つの第１縦杆は、前記記載ボードの正面方向から見て前記記載ボードの中央位置に配置され、
前記接続部材は、前記第１縦杆の上方に設けられていることを特徴とする、
請求項３に記載の記載ボード付き収納什器。
【発明の詳細な説明】
【技術分野】
【０００１】
本発明は、収納什器に記載ボードが設けられた記載ボード付き収納什器に関する。
【背景技術】
【０００２】
黒板、ホワイトボードなどの記載ボードと収納什器とを組み合わせた収納用の什器が知られている。例えば、特許文献１および特許文献２には、壁面に設けられた収納什器の前面側にスライド式の記載ボードを設置する記載ボードの設置構造が提案されている。この記載ボードの設置構造は、既設の壁面用の収納什器の前面側にスライド式の記載ボードを後付けするように構成されており、記載ボードをスライドすることにより、記載ボードの背面側の収納什器に収納対象物を収納自在としている。
【先行技術文献】
【特許文献】
【０００３】
【特許文献１】実開昭５９−１６６７５９号公報
【特許文献２】実用新案登録第３１１６９９６号公報
【発明の概要】
【発明が解決しようとする課題】
【０００４】
しかしながら、収納什器の前面側に記載ボードを設置する場合、記載ボードの記載面と収納什器の前面との間に段差が生じる。そうすると、利用者が収納什器と記載ボードとを利用する場合に、記載ボードの段差に身体が干渉する虞があると共に、段差があることにより意匠性が低下する。あるいは、収納什器の扉を記載ボードとする場合は、１枚の記載ボードの大きさをあまり大きくすることが出来ず、学校の教室などで使う際には利便性が低下する。また、記載面積を確保するために多数の記載ボードを並置した場合、記載ボードの縁が多数見えるため意匠性が低下する。また、壁面に記載ボードを固定し、直下に収納什器を設置すると、収納什器前面と記載ボードの記載面との距離が離れ、筆記性が低下する。
【０００５】
そこで、本発明は、安全性と利便性を兼ね備えつつも意匠性を向上させることができる記載ボード付きの収納什器を提供することを目的としている。
【課題を解決するための手段】
【０００６】
上記目的を達成するため、本発明に係る記載ボード付き収納什器は、床面に設置される収納什器と、前記収納什器の上方に設けられ、複数の縦杆及び前記縦杆の上端で前記縦杆同士を連結する横杆とで構成される枠状の支持体と、前記支持体の前側に設けられ、記載面と前記収納什器の前面とが同一平面上に配置される記載ボードと、を備えることを特徴とする。
【０００７】
このような記載ボード付き収納什器によれば、記載ボードの記載面と収納什器の前面とが略同一平面上に配置されるように記載ボードが収納什器の上に載置されるため、利用者が収納什器と記載ボードとを利用する際に利用者の身体が記載ボードに接触することを防止して安全性を向上させると共に、記載ボードの前方に対する突出量が低減され意匠性を向上させることができる。
【０００８】
上記記載ボード付き収納什器は、前記記載ボード上部が前記横杆に固定され、下面が固定部材を介して前記収納什器の上面に固定されているように構成されていてもよい。
【０００９】
このような記載ボード付き収納什器によれば、記載ボードが収納什器の上に載置されることで記載ボードの重心の荷重を鉛直下方の収納什器に掛けて什器全体の安定性を向上させると共に、記載ボードの上部が、収納什器上に設けられた支持体の横杆に固定されることで、収納什器に載置された記載ボードを収納什器に対して確実に固定することができる。
【００１０】
上記記載ボード付き収納什器は、前記記載ボードの頂部より上方に突出するように前記横杆に固定され、重量物を固定するための接続部材を更に備えるように構成されていてもよい。
【００１１】
このような記載ボード付き収納什器によれば、記載ボードの頂部より上方に突出するように接続部材が収納什器に固定された支持体の横杆に固定されていることにより、プロジェクタ等の重量物を接続部材に固定した際の什器全体の安定性を向上させることができる。
【００１２】
上記記載ボード付き収納什器は、前記複数の縦杆のうち少なくとも一つの第１縦杆は、前記記載ボードの正面方向から見て前記記載ボードの中央位置に配置され、前記接続部材は、前記第１縦杆の上方に設けられているように構成されていてもよい。
【００１３】
このような記載ボード付き収納什器によれば、接続部材にプロジェクタ等の重量物が取り付けられた際に、重量物の荷重を縦杆に掛けずに第１横杆に掛けることができ、什器全体の設置の安定性を向上させることができる。
【発明の効果】
【００１４】
本発明に係る記載ボード付き収納什器によれば、安全性と利便性を兼ね備えつつも意匠性を向上させることができる。
【図面の簡単な説明】
【００１５】
【図１】本発明の実施形態に係る記載ボード付き収納什器の構成を示す斜視図である。
【図２】記載ボード付き収納什器の分解斜視図である。
【図３】縦杆の構成を示す６面図である。
【図４】他の縦杆の構成を示す６面図である。
【図５】横杆の構成を示す６面図である。
【図６】横杆に固定部材が取り付けられた状態を示す斜視図である。
【図７】記載ボード付き収納什器の構成を示す断面図である。
【図８】Ｔ字断面の固定部材の構成を示す斜視図である。
【図９】記載ボードの下面にＴ字断面の固定部材が取り付けられた状態を示す斜視図である。
【図１０】記載ボードを収納什器の上に載置した状態を示す斜視図である。
【図１１】記載ボード付き収納什器の変形例を示す図である。
【図１２】記載ボード付き収納什器の変形例を示す図である。
【図１３】記載ボード付き収納什器の変形例を示す図である。
【発明を実施するための形態】
【００１６】
以下、図面を参照しつつ、本発明の実施形態に係る記載ボード付き収納什器の構成について説明する。以下、記載ボードの記載面側を前側として説明する。
【００１７】
図１及び図２に示されるように、記載ボード付き収納什器１は、例えば、床面に配置される収納什器２と、収納什器の上に載置される記載ボード１０と、記載ボード１０を支持するための支持フレーム２０と、支持フレーム２０の上に載置される接続部材４０とを備える。
【００１８】
収納什器２は、例えば、前面に開口が形成された箱状の棚である。収納什器２は、例えば、一列に並置された４つの小棚３を備える。小棚３は、５つの面で形成された箱状の収納容器である。小棚３は、例えば、設置対象の床面に載置される底板４を備える。底板４は、矩形の板状体である。底板４は、例えば、金属板の四辺を下方に折り曲げて側面を形成して曲げ剛性を備える板状に形成されている。側面の端部は、更に、断面がＵ字状に折り曲げ加工されている。
【００１９】
底板４の両側面には、一対の側板５が対向して立設されている。側板５は、例えば、矩形の板状体である。側板５も底板４と同様に金属板で板状に形成されている。一対の側板５は、例えば、底板４にビスを用いて固定されている。側板５は、ビスの他に、リベット、スポット溶接、レーザー溶接、拡散接合、接着剤等を用いて底板４に固定されていてもよい。
【００２０】
一対の側板５の頂部には、頂板６が載置されている。頂板６は、例えば、矩形の板状体である。頂板６は、例えば、底板４と同様に金属板で板状に形成されている。頂板６は、底板４と同一のものを用いてもよい。頂板６は、一対の側板５の頂部にビスを用いて固定されている。底板４と、一対の側板５と、頂板６とで囲まれて形成された後側の開口は、背面板７により塞がれている。
【００２１】
背面板７は、例えば、矩形の板状体である。背面板７は、例えば、底板４と同様に金属板で板状に形成されている。背面板７は、底板４、一対の側板５、および頂板６にビスを用いて固定されている。底板４、一対の側板５、頂板６、および背面板７は、金属板を用いるものの他、木材、合板、集成材、パーティクルボード、合成樹脂材、複合材料等を用いて形成されていてもよい。
【００２２】
上記構成により小棚３は、前面が開口するように形成されている。これにより、小棚３には、底板４と、一対の側板５と、頂板６と背面板７とにより囲まれて収容空間Ｓが形成されている。収容空間Ｓは、適宜、板状体で仕切られていてもよい。また、小棚３の前面には、扉が設けられていてもよい。隣接する小棚３同士は、例えば、ビスを用いて横方向（ｙ軸）方向に沿って連結されている。これにより、収納什器２が形成される。収納什器２の横方向の幅は、記載ボード１０の寸法に合わせて設定される。収納什器２は、設置対象の壁面に背面板７が接するように床面に設置される。
【００２３】
収納什器２の上方には、記載ボード１０を支持するための支持フレーム２０が設置される。支持フレーム２０は、門型に形成された枠状の支持体である。支持フレーム２０は、例えば、収納什器２の上に立設された複数の縦杆と、複数の縦杆の上方に横置きされた横杆とを備える。一対の縦杆２１は、収納什器２の頂面の両端において対向して配置されている。
【００２４】
縦杆２１は、５つの面で形成された箱状の支持部材である（図３参照）。縦杆２１は、収納什器２の頂板６の上面に載置される底板２２を備える。底板２２は、例えば、矩形の板状体である。底板２２は、例えば、金属板が折り曲げられて板状に形成されている。底板２２の前後方向（図２のｘ軸方向）に沿った両端には、一対の側板２３が対向して配置されている。
【００２５】
側板２３は、矩形の板状体である。側板２３は、金属板の四辺が折り曲げられて側面が形成されている。側板２３の側面は、端部の断面がＵ字状に折り曲げ加工されている。これにより、側板２３は、曲げ剛性を備えた板状に形成されている。一対の側板２３は、例えば、底板２２にビスを用いて固定されている。一対の側板２３の頂部には、頂板２４が取り付けられている。
【００２６】
頂板２４は、例えば、矩形の板状体である。頂板２４は、側板２３と同様に金属板で形成されている。頂板２４は、例えば、一対の側板２３にビスを用いて固定されている。底板２２と、一対の側板２３と、頂板２４とにより囲まれて空間Ｓ１が形成されている。空間Ｓ１の一つの開口は、背面板２５により塞がれている。
【００２７】
背面板２５は、例えば、矩形の板状体である。背面板２５は、例えば、底板２２と同様に金属板で板状に形成されている。背面板２５には、後述の他の収納什器を増設する際に用いられる複数のビス穴が設けられている。背面板２５は、底板２２、一対の側板２３、および頂板２４にビスを用いて固定されている。
【００２８】
底板２２、一対の側板２３、頂板２４、および背面板２５は、金属板を用いるものの他、木材、合板、集成材、パーティクルボード、合成樹脂材、複合材料等を用いて形成されていてもよい。上記構成により、縦杆２１が形成されている。縦杆２１は、前後方向に沿った幅が収納什器２の前後方向に沿った幅よりも狭くなるように形成されている。
【００２９】
一対の縦杆２１は、収納什器２の上面の両端において、背面板２５が横方向の両側となるように対向して配置されている。縦杆２１は、一対の側板２３のうち一方が設置対象の壁面に接し、他方の側板２３が前側に向くように収納什器２の上面に配置される。縦杆２１は、収納什器２の上面にビスを用いて固定されている。ビスにより、縦杆２１の底板２２と小棚３の頂板６とが共締めされる。上述したように、縦杆２１の前後方向に沿った幅が収納什器２の上面の幅よりも狭いので、縦杆２１の前側において、収納什器２の上面に段差Ｄが形成される。
【００３０】
一対の縦杆２１の間には、他の縦杆２６（第１縦杆）が配置されている。縦杆２６は、５つの面で形成された箱状の支持部材である（図４参照）。縦杆２６は、基本的に縦杆２１の構成と同様の構成を備えており、一面が開口した箱形に形成されている。縦杆２６は、一対の側板２８と、底板２９と、頂板２９Ａと、背面板２５とを備える。底板２９と、頂板２９Ａとは、同じものを用いてもよい。背面板２５は、縦杆２１のものと同一のものを用いてもよい。
【００３１】
縦杆２６には、縦杆２１と同様に内部に空間Ｓ２が形成されている。空間Ｓ２内において、背面板２５に補強部材２７が設けられている。補強部材２７は、例えば、金属板により形成されている。補強部材２７は、例えば、断面がハット型に折り曲げられて形成されている。補強部材２７は、フランジ部分２７Ａが背面板２５にスポット溶接、ビス、リベット等を用いて固定されている。
【００３２】
これにより、縦杆２６は、上方に重量物が載置された際の荷重に耐えられるよう構成されている。縦杆２６は、収納什器２の上面において、一対の側板２８のうち、一方が設置対象の壁面に接するように配置され、他方の側板２８が前側に向くように配置される。この状態において、上述した縦杆２１と同様に、縦杆２６の前側には、収納什器２の上面に段差Ｄが形成される。
【００３３】
縦杆２６は、後述のように記載ボード１０が取り付けられた状態において、記載ボード１０の正面方向から見て、記載ボード１０の略中央位置に配置されている。縦杆２６は、例えば、収納什器２の上面にビスを用いて固定されている。ビスにより、例えば、縦杆２６の底板２２と小棚３の頂板６とが共締めされる。一対の縦杆２１および縦杆２６の頂部には、横杆３０が載置されている。横杆３０は、縦杆２１，２６の頂部にビスを用いて固定されている。
【００３４】
横杆３０は、例えば、同じ構造の２つの横杆３１が横方向に沿って連結されて形成されている。横杆３１は、５つの面で形成された箱状の支持部材である（図５参照）。横杆３１は、例えば、頂板３２を備える。頂板３２は、矩形の板状体である。頂板３２は、金属板の四辺が折り曲げられて側面が形成されて曲げ剛性を備える板状に形成されている。
【００３５】
頂板３２の横方向に沿った両端には、一対の側板３３が下垂して取り付けられている。側板３３は、矩形の板状体である。側板３３は、頂板３２と同様に金属板が折り曲げられることにより形成されている。側板３３の端部は、更に、断面がＵ字状に折り曲げ加工されている。
【００３６】
頂板３２の前側の一辺には、梁となる補強部材３５Ａが取り付けられている。補強部材３５Ａは、頂板３２の一辺側を折り曲げることにより一体で形成されていてもよい。頂板３２の後側の一辺には、背面板３４が下垂して取り付けられている。背面板３４は、頂板３２が折り曲げられることにより一体で形成されていてもよい。背面板３４は、矩形の板状体である。背面板３４は、側板３３と同様に金属板が折り曲げられることにより形成されている。背面板３４の端部は、更に、断面がＵ字状に折り曲げ加工されている。
【００３７】
頂板３２、一対の側板３３、背面板３４、および補強部材３５Ａにより、横杆３１の下面側には、空間Ｓ３が形成されている。空間Ｓ３内には、補強部材３５Ａと平行に配置された他の補強部材３５Ｂが設けられている。補強部材３５Ａ，３５Ｂは、例えば、金属板により形成されている。
【００３８】
補強部材３５Ａ，３５Ｂは、例えば、断面がハット型に折り曲げられて形成されている。補強部材３５Ａ，３５Ｂは、フランジ部分３５Ｆが頂板３２の下面側にスポット溶接やビス等を用いて頂板３２の長手方向に沿って固定されている。補強部材３５Ａ，３５Ｂと縦杆２１，２６の頂板２４，２９Ａとがビスを用いて固定される。補強部材３５により、横杆３１の上下方向（ｚ軸方向）に対する撓みに対する剛性が向上する。横杆３１の前後方向に沿った幅は、縦杆２１，２６と同じである。
【００３９】
図６に示されるように、横杆３１は、複数の断面がＬ形の固定部材Ｂを介して設置対象の壁面にビスを用いて固定される。固定部材Ｂは、水平部分が頂板３２に固定され、鉛直部分が壁面に固定される。補強部材３５Ａの前面には、記載ボード１０を固定するための断面がＬ形の複数の固定部材Ｃが所定間隔でビスを用いて取り付けられている。
【００４０】
記載ボード１０は、例えば、黒板やホワイトボード等の記載面を備える板状体である。記載ボード１０は、電気的なディスプレイ装置であってもよい。
【００４１】
図７に示されるように、記載ボード１０は、上述した収納什器２の上面と支持フレーム２０とにより生じた段差Ｄの上に載置されている。記載ボード１０は、前面に記載面１１Ａが形成された矩形の板状体１１を備える。板状体１１の４辺には、それぞれ断面がＬ形の枠１２が取り付けられている。枠１２は、例えば、アルミニウム製の押し出し材により形成されている。
【００４２】
枠１２は、例えば、１〜２［ｍｍ］程度の厚さで形成されている。板状体１１の下端には、チョークやマーカーを載置すると共に、チョークやマーカー等から生じる粉末を受け止めるための粉受１３が設けられている。粉受１３は、板状体１１の下辺において前方に突出して延在するように帯状に形成されている。粉受１３の先端には、上方に起立した前縁部１３Ａが形成されている。記載ボード１０は、下面（粉受１３の下面）が、逆Ｔ字断面の固定部材Ｆを介して収納什器２の上面（頂板６の上面）の段差Ｄに固定されている。
【００４３】
固定部材Ｆは、矩形の板状の部材Ｆ１とＬ断面の部材Ｆ２とが組み合わされて形成されている（図８参照）。部材Ｆ１と部材Ｆ２とは、例えば、スポット溶接や、ロウ付け等で固定され、逆Ｔ字断面が形成されている。部材Ｆ１には、２つのビス穴が形成されている。
【００４４】
記載ボード１０は、例えば、収納什器２の上面において、枠１２の表面と収納什器２前面が同一平面上となるように配置されている。収納什器２前面とは、小棚３の底板４、側板５、頂板６の各前縁を含む仮想平面Ｗ（図７参照）である。枠１２の厚さは、上述したように薄く形成されているので、記載ボード１０は、記載面１１Ａと収納什器２の前面とが同一平面上となるように配置される。また、記載ボード１０は、記載面１１Ａと収納什器２の前面とが同一平面上となるように配置されてもよい。
【００４５】
ここで、記載ボード１０や収納什器２を設置する際の施工誤差により、記載面１１Ａと収納什器２の前面とは、完全に同一平面上となるように配置されるとは限らない。また、記載ボード１０が曲面で構成されている場合や、収納什器２の施工誤差や個々の形状の違いがある場合など、収納什器２前面が同一平面上にあるとも限らない。
【００４６】
従って、本実施形態でいう「記載面１１Ａと収納什器２の前面とが同一平面上」であることは、完全に同一の平面上であることの他に、記載ボード１０の記載面１１Ａの位置や収納什器２の前面の位置が前後方向に所定幅を持ってずれている場合、小棚３の底板４、側板５、頂板６の各前縁が同一平面上に無い場合、記載面１１Ａや収納什器２の前面が曲面で形成されている場合も含む。従って、「同一平面上」とは、仮想平面Ｗが前後方向に所定の幅を持った空間領域に含まれることをいう。
【００４７】
このような構成により、記載ボード１０は、上部が支持フレーム２０に固定されると共に、下部が収納什器２の上面に載置されて固定されているため、安定した固定状態を保つことができる。即ち、記載ボード１０の重心に掛かる荷重を鉛直下方の収納什器２に掛けられるため、記載ボード１０が収納什器２の前面より突出している構成に比して安定性が向上する。そして、利用者が、収納什器２と記載ボード１０とを利用する際に、利用者の身体が記載ボード１０に接触することが低減され、安全性が向上する。また、記載ボード１０が前方に突出する量が低減され、意匠性が向上する。
【００４８】
記載ボード１０の上方には、記載ボード１０に映像を投射するためのプロジェクタ５０（後述）を固定するための接続部材４０が取り付けられる。接続部材４０は、支持フレーム２０の横杆３１の上に固定される。接続部材４０は、記載ボード１０の正面方向から見て記載ボード１０の中央位置の上方に配置される。即ち、接続部材４０は、縦杆２６の上方に設けられ、プロジェクタ５０の荷重を縦杆２６に掛ける。
【００４９】
接続部材４０は、例えば、５枚の板状体により箱形に形成された部材である（図１、図２参照）。接続部材４０は、下面側が開口している。接続部材４０は、横杆３１の頂板３２の前側の一辺から立設された矩形の板状に形成された固定板４１を備える。固定板４１の前面は、記載ボード１０の記載面１１Ａと略同一平面上になるように配置されている。固定板４１に対向して、固定板４１と同サイズの背面板４３が頂板３２の後側の一辺から立設されている。固定板４１には、後述のプロジェクタ５０を取り付けるための複数のビス穴が設けられている。
【００５０】
固定板４１および背面板４３の両側には、一対の矩形の側板４２が対向して配置されている。側板４２の下辺には、頂板３２に接続部材４０を固定するためのフランジ４１Ａが側方に突出して設けられている。固定板４１、背面板４３、および一対の側板４２の頂部には、矩形の頂板４４が固定されている。頂板４４には、接続部材４０と壁面とを固定部材（不図示）で固定するための複数のビス穴（不図示）が設けられている。フランジ４１Ａと頂板３２とをビスを用いて共締めすると、接続部材４０は、支持フレーム２０に固定される。
【００５１】
固定板４１には、記載ボード１０に映像等を投射するためのプロジェクタ５０が取り付けられている。即ち、プロジェクタ５０は、接続部材４０を介して縦杆２６に支持されている。従って、縦杆２６は、収納什器２を介してプロジェクタ５０の荷重を床面に伝える。固定板４１の前面には、前方に突出するようにアーム５２が取り付けられている。
【００５２】
アーム５２は、前後方向（ｘ軸方向）に伸縮自在な支持部材である。アーム５２の先端には、プロジェクタ本体部５１が取り付けられている。プロジェクタ本体部５１は、下面側から記載ボード１０の記載面１１Ａに向かって映像を投射する。
【００５３】
次に、記載ボード付き収納什器１の設置方法について説明する。収納什器２は、背面板７が壁面に接するように床面に固定される（図７参照）。収納什器２は、底板４が床面にビスを用いて共締めされることにより、床面に対して固定される。
【００５４】
その後、支持フレーム２０が収納什器２上に載置される。支持フレーム２０は、縦杆２１，２６の一対の側板２３，２８のうち後側が壁面に接するように位置決めされる（図２参照）。支持フレーム２０において、一対の縦杆２１の背面板２５が収納什器２の両側の側板５と同一平面上となるように配置される。支持フレーム２０の位置が調整されて配置された後、支持フレーム２０と収納什器２とが連結される。
【００５５】
この際、縦杆２１，２６の底板２２，２９と収納什器２の頂板６とがビスを用いて固定される（図７参照）。この状態で、収納什器２の上面には、支持フレーム２０の配置位置によって段差Ｄが形成される。支持フレーム２０の上部において、複数のＬ形の固定部材Ｂが頂板３２と壁面とにビスを用いて所定間隔で固定される（図６参照）。
【００５６】
次に、横杆３１の補強部材３５Ａの前面に複数のＬ形の固定部材Ｃがビスを用いて所定間隔で取り付けられる。固定部材Ｃのビス穴は、縦方向に長孔として形成されている。固定部材Ｃの上端は、頂板３２の上面より突出する状態で取り付けられる。
【００５７】
図９に示されるように、記載ボード１０の底面には、複数の固定部材Ｆがビスを用いて所定間隔で取り付けられる。その後、記載ボード１０は、先ず底面が段差Ｄ上に載置される（図１０参照）。その後、記載ボード１０は、上部が補強部材３５Ａの前面に接するように倒立される。この時、補強部材３５Ａの前面に固定されている固定部材Ｃは、上部が頂板３２より上方に突出して取り付けられているため、記載ボード１０の頂部が固定部材Ｃに引っ掛かることが防止される。
【００５８】
その後、プラスチックハンマー等を用いて固定部材Ｃの頂部の上面を下方に叩き込み、固定部材Ｃの頂部の下面を記載ボード１０の頂部に接触させる。その後、記載ボード１０の頂部と固定部材Ｃとをビスを用いて固定すると、記載ボード１０の上部が支持フレーム２０に対して固定される（図７参照）。
【００５９】
そして、収納什器２の頂板６の内側から頂板６に設けられた所定のビス穴にビスを上向きに挿通すると共に、ビスの先端を固定部材Ｆのビス穴に合わせる。その後、ビスを記載ボード１０の底面から記載ボード１０の下部にねじ込み、記載ボード１０の下部を収納什器２に対して固定させる。その後、支持フレーム２０の頂面（頂板３２）に接続部材４０がビスを用いて固定される。接続部材４０には、プロジェクタ５０が取り付けられる。上記工程により、記載ボード付き収納什器１が設置対象に設置される。
【００６０】
上述したように、記載ボード付き収納什器１によれば、記載ボード１０の記載面１１Ａが収納什器２の前面と略同一平面上に配置されるように構成されているため、収納什器２と記載ボード１０とを利用する際に、利用者の身体が記載ボード１０に接触することが低減され、安全性が向上する。また、記載ボード付き収納什器１によれば、上記構成を備えることにより、記載ボード１０が前方に突出する量が低減され、見た目が改善されて意匠性が向上する。
【００６１】
［変形例］
上述した記載ボード付き収納什器１は、適宜構成が変更されてもよい。例えば、図１１に示されるように、記載ボード付き収納什器１の両側に空間がある場合には、この空間を埋めるように他の収納什器２Ａ，２Ｂが増設されてもよい。但し、他の収納什器を増設する際、他の収納什器２Ａ，２Ｂの前面の側面は、記載ボード１０の記載面１１Ａと略同一平面上に配置される。
【００６２】
また、図１２に示されるように、収納什器２の下方に収納自在の踏み台Ｇを設けてもよい。そして、収納什器２や他の収納什器２Ａ，２Ｂには、扉Ｔが設けられていてもよい。また、図１３に示されるように、収納什器２、他の収納什器２Ａ，２Ｂには、仕切板Ｒが設けられていてもよい。
【００６３】
その他、本発明の趣旨に逸脱しない範囲で、前記実施形態における構成要素を周知の構成要素に置き換えることは適宜可能であり、また、上述した変形例を適宜組み合わせ、または置換して構成してもよい。例えば、上述した支持フレームは、鉄骨やパイプを用いて構成されていてもよい。また、記載ボード１０の記載面１１と収納什器２前面とが同一平面上にある場合だけでなく、記載ボード１０の粉受１３の前縁部１３Ａの前面と収納什器２の前面とが同一平面上となるように配置されていても良い。更に、粉受１３は、必ずしも設けられていなくてもよく、記載ボード１０の下側で収納される構成、折り畳まれる構成、あるいは、記載ボード１０の下側に空間を設けて設置される構成であってもよい。
【符号の説明】
【００６４】
１…記載ボード付き収納什器、２…収納什器、３…小棚、４…底板、５…側板、６…頂板、７…背面板、１０…記載ボード、１１…板状体、１１Ａ…記載面、１２…枠、１３…粉受、１３Ａ…前縁部、２０…支持フレーム、２１、２６…縦杆、２２…底板、２３…側板、２４…頂板、２５…背面板、２７…補強部材、２７Ａ…フランジ部分、２８…側板、２９…底板、２９Ａ…頂板、３０、３１…横杆、３２…頂板、３３…側板、３４…背面板、３５…補強部材、３５Ａ…補強部材、３５Ｂ…補強部材、３５Ｆ…フランジ部分、４０…接続部材、４１…固定板、４１Ａ…フランジ、４２…側板、４３…背面板、４４…頂板、５０…プロジェクタ、５１…プロジェクタ本体部、５２…アーム、Ｂ…固定部材、Ｃ…固定部材、Ｄ…段差、Ｆ…固定部材、Ｆ１…部材、Ｆ２…部材、Ｓ…収容空間、Ｓ１…空間、Ｓ２…空間、Ｓ３…空間、Ｗ…仮想平面
【図１】
2020068996.tif 000003
【図２】
2020068996.tif 000004
【図３】
2020068996.tif 000005
【図４】
2020068996.tif 000006
【図５】
2020068996.tif 000007
【図６】
2020068996.tif 000008
【図７】
2020068996.tif 000009
【図８】
2020068996.tif 000010
【図９】
2020068996.tif 000011
【図１０】
2020068996.tif 000012
【図１１】
2020068996.tif 000013
【図１２】
2020068996.tif 000014
【図１３】
2020068996.tif 000015